(57)【要約】  本願では電気回路基板組立体と電気炊飯器を開示する。当該電気回路基板組立体は筐体と電気回路基板を含み、前記筐体は電気回路基板支柱及び防火フードを含み、前記防火フードは前記電気回路基板支柱に覆い被せられて固定されており、且つ、前記防火フードは前記電気回路基板支柱とともに囲んで防火チャンバーを形成しており、前記電気回路基板は前記電気回路基板支柱上に取り付けられて、且つ、前記電気回路基板は前記防火チャンバー内に位置する。本願では、電気回路基板上には防火材料で作られている防火フードが設置されており、防火フードは電気回路基板支柱に覆い被せられて固定されることで防火チャンバーを形成でき、電気回路基板は防火チャンバー内に設置されている。こうして、電気回路基板を外部と隔離して、電気回路基板に火がつく時に火勢が広がるのを避けることが可能となり、さらには使用者の生命と財産の安全を保障することも可能となる。
2021506410.tif 000002
【特許請求の範囲】
【請求項１】
電気炊飯器に応用される電気回路基板組立体であって、
電気回路基板支柱及び防火フードを含み、前記防火フードは前記電気回路基板支柱に覆い被せられて固定されており、且つ、前記防火フードは前記電気回路基板支柱とともに囲んで防火チャンバーを形成している筐体と、
前記電気回路基板支柱上に取り付けられて、且つ、前記防火チャンバー内に位置する電気回路基板を含む
電気回路基板組立体。
【請求項２】
前記電気回路基板支柱は背面板と前記背面板の周りから延びるように設置されている囲い縁部を含み、前記囲い縁部は前記背面板とともに囲んで前記電気回路基板を適合して取り付ける取付溝を形成しており、前記囲い縁部上には、前記防火フードを適合して挿入接続する挿入接続具及び前記防火フードを適合して係接する係接具が設置されている
請求項１に記載の電気回路基板組立体。
【請求項３】
前記囲い縁部は前記電気回路基板を支持するための支持板及び前記支持板の両端から前記支持板側へ延びる二つの第一側板を含み、
前記支持板上には前記挿入接続具が設置されており、前記第一側板上には前記係接具が設置されている
請求項２に記載の電気回路基板組立体。
【請求項４】
前記挿入接続具は前記支持板から前記背面板から遠く離れる方向へ延びている挿入接続柱であり、前記防火フードには前記挿入接続柱に対応して挿入穴が設置されており、前記係接具は二つの前記第一側板の互いに背を向けている外壁面上に突出して設置されている突出バックルであり、前記防火フードには前記突出バックルに対応して係着溝が設置されている
請求項３に記載の電気回路基板組立体。
【請求項５】
前記第一側板の外壁面上には第一配線クリップが設置されており、
前記防火フードは前記背面板と対向して設置されているパネル、及び前記パネルの両側に対向して設置されて且つ前記背面板側に向かって延びている二つの第二側板を含み、前記第二側板には前記第一配線クリップに覆い被せられる防火シェルが外へ突出して形成されている
請求項３に記載の電気回路基板組立体。
【請求項６】
前記パネルと二つの前記第二側板の中の少なくとも一つの外壁面上には、さらに第二配線クリップが設置されている
請求項５に記載の電気回路基板組立体。
【請求項７】
前記第二配線クリップは防火フードの外壁面と固定接続されている接続部、接続部と固定接続されている弾性アーム及び接続部の自由端と固定接続されている突出バックル部を含む
請求項６に記載の電気回路基板組立体。
【請求項８】
前記電気回路基板の一側には端子接続座が設置されて、前記防火フードは防火フード本体と端子保護蓋を含み、前記防火フード本体を前記電気回路基板支柱に覆い被せた後に、前記端子接続座に対応して取付口が形成されて、前記端子保護蓋は取り外し可能に前記取付口に覆い被せられる
請求項１に記載の電気回路基板組立体。
【請求項９】
前記端子保護蓋は蓋板と前記蓋板の周縁から一方へ延びているいくつかの固定支持脚を含み、前記端子保護蓋は前記固定支持脚を通して前記防火フード本体と取り外し可能に接続されている
請求項８に記載の電気回路基板組立体。
【請求項１０】
前記防火フード上には係着凸起が設置され、前記固定支持脚上には前記係着凸起と適合する係着穴が設置されている
請求項９に記載の電気回路基板組立体。
【請求項１１】
前記防火フード本体上には前記電気炊飯器のコイルプレートの端子が通り抜ける配線溝が設置されて、前記配線溝は前記係着凸起と互い違いに設置されている
請求項１０に記載の電気回路基板組立体。
【請求項１２】
前記配線溝の面積は２５ｍｍ２以下である
請求項１１に記載の電気回路基板組立体。
【請求項１３】
前記固定支持脚は間隔を置いて前記蓋板の後側に設置されている二つの第一固定支持脚と間隔を置いて前記蓋板の前側に設置されている二つの第二固定支持脚を含み、二つの前記第一固定支持脚は二つの前記第二固定支持脚と互い違いに配列されている
請求項９に記載の電気回路基板組立体。
【請求項１４】
前記電気回路基板組立体はさらに放熱ファンを含み、前記電気回路基板組立体の頂部にはさらに、前記防火チャンバーに連通している取付開放口が設置されており、前記放熱ファンは前記取付開放口内に回動的に取り付けられている
請求項１に記載の電気回路基板組立体。
【請求項１５】
前記電気回路基板支柱は防火材料で作られている
請求項１に記載の電気回路基板組立体。
【請求項１６】
請求項１に記載の電気回路基板組立体を含む
電気炊飯器。
【発明の詳細な説明】
【技術分野】
【０００１】
本願は家庭用電器の分野に関し、特に電気回路基板組立体及び電気炊飯器に関する。
【背景技術】
【０００２】
電気炊飯器のコイルプレートには電気回路基板組立体が接続されており、電気回路基板組立体は電気回路基板支柱及び電気回路基板支柱上に取り付けられている電気回路基板を含む。電気回路基板は作動過程において大量の熱を生じてしまうので、熱がある程度溜まると火災を引き起こす可能性がある。従来の電気回路基板組立体には防火構造が設置されていないので、いったん電気回路基板組立体に火がつくと、火勢は電気炊飯器全体に広がり、これは使用者の生命と財産の安全をひどく脅かしている。
【発明の概要】
【発明が解決しようとする課題】
【０００３】
本願の主な目的は、電気回路基板に火が付いた時に火勢が広がるのを避けられる電気回路基板組立体を提案することである。
【課題を解決するための手段】
【０００４】
上記目的を実現するために、本願が提案する電気回路基板組立体は電気炊飯器に応用され、前記電気回路基板組立体は、電気回路基板支柱及び防火フードを含み、前記防火フードは前記電気回路基板支柱に覆い被せられて固定されており、且つ、前記防火フードは前記電気回路基板支柱とともに囲んで防火チャンバーを形成している筐体と、前記電気回路基板支柱上に取り付けられて、且つ、前記防火チャンバー内に位置する電気回路基板を含む。
【０００５】
好ましくは、前記電気回路基板支柱は背面板と前記背面板の周りから延びるように設置されている囲い縁部を含み、前記囲い縁部は前記背面板とともに囲んで前記電気回路基板を適合して取り付ける取付溝を形成しており、前記囲い縁部上には、前記防火フードを適合して挿入接続する挿入接続具及び前記防火フードを適合して係接する係接具が設置されている。
【０００６】
好ましくは、前記囲い縁部は前記電気回路基板を支持するための支持板及び前記支持板の両端から前記支持板側へ延びる二つの第一側板を含み、前記支持板上には前記挿入接続具が設置されており、前記第一側板上には前記係接具が設置されている。
【０００７】
好ましくは、前記挿入接続具は前記支持板から前記背面板から遠く離れる方向へ延びている挿入接続柱であり、前記防火フードには前記挿入接続柱に対応して挿入穴が設置されており、前記係接具は二つの前記第一側板の互いに背を向けている外壁面上に突出して設置されている突出バックルであり、前記防火フードには前記突出バックルに対応して係着溝が設置されている。
【０００８】
好ましくは、前記第一側板の外壁面上には第一配線クリップが設置されており、前記防火フードは前記背面板と対向して設置されているパネル、及び前記パネルの両側に対向して設置されて且つ前記背面板側に向かって延びている二つの第二側板を含み、前記第二側板には前記第一配線クリップに覆い被せられる防火シェルが外へ突出して形成されている。
【０００９】
好ましくは、前記パネルと二つの前記第二側板の中の少なくとも一つの外壁面上には、さらに第二配線クリップが設置されている。
【００１０】
好ましくは、前記第二配線クリップは防火フードの外壁面と固定接続されている接続部、接続部と固定接続されている弾性アーム及び接続部の自由端と固定接続されている突出バックル部を含む。
【００１１】
好ましくは、前記電気回路基板の一側には端子接続座が設置されて、前記防火フードは防火フード本体と端子保護蓋を含み、前記防火フード本体を前記電気回路基板支柱に覆い被せた後に、前記端子接続座に対応して取付口が形成されて、前記端子保護蓋は取り外し可能に前記取付口に覆い被せられる。
【００１２】
好ましくは、前記端子保護蓋は蓋板と前記蓋板の周縁から一方へ延びているいくつかの固定支持脚を含み、前記端子保護蓋は前記固定支持脚を通して前記防火フード本体と取り外し可能に接続されている。
【００１３】
好ましくは、前記防火フード上には係着凸起が設置され、前記固定支持脚上には前記係着凸起と適合する係着穴が設置されている。
【００１４】
好ましくは、前記防火フード本体上には前記電気炊飯器のコイルプレートの端子が通り抜ける配線溝が設置されて、且つ、前記配線溝は前記係着凸起と互い違いに設置されている。
【００１５】
好ましくは、前記挿配線溝の面積は２５ｍｍ２以下である。
【００１６】
好ましくは、前記固定支持脚は間隔を置いて前記蓋板の後側に設置されている二つの第一固定支持脚と間隔を置いて前記蓋板の前側に設置されている二つの第二固定支持脚を含み、二つの前記第一固定支持脚は二つの前記第二固定支持脚と互い違いに配列されている。
【００１７】
好ましくは、前記電気回路基板組立体はさらに放熱ファンを含み、前記電気回路基板組立体の頂部にはさらに、前記防火チャンバーに連通している取付開放口が設置されており、前記放熱ファンは前記取付開放口内に回動的に取り付けられている。
【００１８】
好ましくは、前記電気回路基板支柱は防火材料で作られている。
【００１９】
本願では、さらに電気炊飯器を提案する。前記電気炊飯器は電気回路基板組立体を含み、前記電気回路基板組立体は、電気回路基板支柱及び防火フードを含み、前記防火フードは前記電気回路基板支柱に覆い被せられて固定されており、且つ、前記防火フードは前記電気回路基板支柱とともに囲んで防火チャンバーを形成している筐体と、前記電気回路基板支柱上に取り付けられて、且つ、前記防火チャンバー内に位置する電気回路基板を含む。
【００２０】
本願が提案する電気回路基板組立体では、電気回路基板支柱及び防火フードを含む筐体を設置し、前記防火フードは前記電気回路基板支柱に覆い被せられて固定され、且つ、前記防火フードは前記電気回路基板支柱とともに囲んで防火チャンバーを形成して、前記電気回路基板組立体の電気回路基板が防火チャンバー内に設置されていることで、電気回路基板を外部と隔離して、電気回路基板に火がつく時に火勢が広がるのを避けることが可能となり、さらには使用者の生命と財産の安全を保障することも可能となる。
【００２１】
本願実施例及び従来技術の技術案をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図面の簡単な説明】
【００２２】
【図１】本願の電気回路基板組立体の一実施例の分解構造模式図である。
【図２】本願の電気回路基板組立体の一実施例の構造模式図である。
【図３】図２のＡでの部分拡大図である。
【図４】図２のＢでの部分拡大図である。
【図５】本願の電気回路基板組立体の一実施例のもう一つの構造模式図である。
【図６】本願の電気回路基板組立体とコイルプレート組立体の分解構造模式図である。
【図７】図６のＣでの部分拡大図である。
【００２３】
添付図面を参照して、実施例と組み合わせて本願目的の実現、機能特徴及び長所をさらに説明する。
【発明を実施するための形態】
【００２４】
以下では、本願実施例における添付図面と組み合わせ、本願実施例における技術案を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護する範囲に属する。
【００２５】
もし本願実施例で方向性指示（例えば上、下、左、右、前、後．．．）に関わる場合、当該方向性指示はある特定の姿勢（添付図面に示す）における各部品間の相対的位置関係、運動状況等を説明するためだけに用いられ、もし当該特定の姿勢が変わる場合、当該方向性指示もそれ相当に変わることは説明すべきである。
【００２６】
また、本願実施例において「第一」、「第二」等の説明に関わる場合、当該「第一」、「第二」等の説明は、説明のために利用されるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術案はお互いに組み合わせることができる。ただし、当業者が実現できることはその基礎である。技術案の組み合わせに矛盾が生じるか、実現できない場合には、このような技術案の組み合わせが存在しない、且つ本願が請求する保護範囲にないと理解すべきである。
【００２７】
本願は電気回路基板組立体を提案する。当該電気回路基板組立体には電気回路基板支柱に覆い被せられて固定されている防火フードが設定されており、当該防火フードは電気回路基板に火が付いた時に火勢が広がるのを避けることが可能である。
【００２８】
本願の一実施例において、図１に示すように、前記電気回路基板組立体は筐体と電気回路基板３００を含む。前記筐体は電気回路基板支柱１００及び防火フード２００を含み、前記防火フード２００は前記電気回路基板支柱１００に覆い被せられて固定されており、且つ、前記防火フード２００は前記電気回路基板支柱１００とともに囲んで防火チャンバーを形成し、前記電気回路基板３００は前記電気回路基板支柱１００上に取り付けられて、且つ、前記電気回路基板３００は前記防火チャンバー内に位置する。
【００２９】
電気回路基板３００の表面上には複数の電子素子が設置されているので、電気回路基板３００が作動時、電子素子は大量の熱を放出することになり、仮に電気回路基板組立体に良好な放熱が行われていないと、電気回路基板組立体が火災を引き起こす可能性がある。電気回路基板組立体に火がついた時に火勢が広がるのを避けるために、本願では、電気回路基板３００上には防火材料で作られている防火フード２００が設置されており、防火フード２００は電気回路基板支柱１００に覆い被せられて固定されることで防火チャンバーを形成して、電気回路基板３００は防火チャンバー内に設置されている。こうして、電気回路基板３００を外部と隔離して、電気回路基板３００に火がつく時に火勢が広がるのを避けることが可能となり、さらには使用者の生命と財産の安全を保障することも可能となる。
【００３０】
一つの好ましい方式として、前記電気回路基板支柱１００も防火材料で作られている。こうして、さらに電気回路基板組立体の防火性能を改善することが可能となる。具体的に、前記防火材料は難燃性ＡＢＳプラスチック、難燃性ＰＰプラスチック或いは亜鉛めっき板等である。
【００３１】
好ましくは、前記電気回路基板組立体はさらに放熱ファンを含み、前記電気回路基板組立体の頂部にはさらに、前記防火チャンバーに連通している取付開放口が設置されている。前記放熱ファンは前記取付開放口内に回動的に取り付けられている。こうして、放熱ファンは電気回路基板３００が発生する熱をすぐに防火チャンバーに排出して、さらには電気回路基板３００に火がつく可能性を低減することが可能となる。
【００３２】
更に、これから、図１から図４を参照し、防火フード２００と電気回路基板支柱１００の取付構造について詳しく説明する。前記電気回路基板支柱１００は背面板と前記背面板の周りから延びるように設置されている囲い縁部を含み、前記囲い縁部は前記背面板とともに囲んで前記電気回路基板３００を適合して取り付ける取付溝を形成しており、前記囲い縁部上には、前記防火フード２００を適合して挿入接続する挿入接続具１１０及び前記防火フード２００を適合して係接する係接具１２０が設置されている。挿入接続具１１０と係接具１２０は何れも取り外し可能な取付方式を採用しているので、防火フード２００と電気回路基板支柱１００の取付効率を向上できる。
【００３３】
さらに、前記囲い縁部は電気回路基板３００を支持するための支持板及び前記支持板の両端から上へ延びる二つの第一側板を含み、前記支持板上には前記防火フード２００を適合して挿入接続する挿入接続具１１０が設置されており、二つの前記第一側板上には前記防火フード２００を適合して係接する係接具１２０が設置されている。防火フード２００を電気回路基板支柱１００と取り付ける時、先ずは防火フード２００の底部を電気回路基板支柱１００の囲い縁部の支持板上の挿入接続具１１０と挿入接続して固定して、そして、防火フード２００の上部を前へ押して、防火フード２００を電気回路基板支柱１００の囲い縁部の第一側板上の係接具１２０と係接して固定する。このため、防火フード２００と電気回路基板支柱１００の取り付け過程も取り外し過程も非常に便利になる。
【００３４】
具体的に、前記挿入接続具１１０は前記支持板から前記背面板から遠く離れる方向へ延びている挿入接続柱であり、前記防火フード２００には前記挿入接続柱に対応して挿入穴が設置されており、前記係接具１２０は二つの前記第一側板の互いに背を向けている外壁面上に突出して設置されている突出バックルであり、前記防火フード２００には前記突出バックルに対応して係着溝が設置されている。
【００３５】
さらに、前記挿入接続柱の外郭寸法は逓減するように設置されて、挿入接続柱を挿入穴に装着するのを便利にできる。本実施例では、挿入接続柱は垂直に設置されている二つの板により構成されている。他の実施例において、挿入接続柱は丸台構造として設置されてもよい。前記突出バックルは案内面と係接面を有し、前記係着溝は防火フード２００上に設置されている係接リングにより形成され、防火フード２００を電気回路基板支柱１００と取り付けて固定する時、係接リングが係接面に押し付けられて、突出バックルが係接リングの係着溝に入るまで（この時、防火フード２００は電気回路基板支柱１００と取り付けて固定されている）、係接リングは突出バックルの案内面に沿って移動する。
【００３６】
さらに、図１、図２と図５を参照し、電気接続線を順調に引き出すために、電気回路基板支柱１００と防火フード２００との間に隙間が設置されており、炎が隙間から飛び出すのを避けるために、前記防火フード２００は前記電気回路基板支柱１００の外側に外嵌されて、且つ、防火フード２００は電気回路基板支柱１００の外部を囲むことで、炎が直接当該隙間から飛び出すのを避けて、筐体の防火能力を向上できる。
【００３７】
電気接続線の配置を整えるために、本願では、第一側板の外壁面上には第一配線クリップ１３０が設置されている。こうして、電気接続線の配置をより整っているようにできる。さらに、前記防火フード２００には前記第一配線クリップ１３０に対応して前記第一配線クリップ１３０に覆い被せられる防火シェル２１１が突出して設置されている。具体的に、前記防火フード２００は前記背面板と対向して設置されているパネル、及び前記パネルの両側に対向して設置されて且つ前記背面板側に向かって延びている二つの第二側板を含む。前記第二側板には前記第一配線クリップ１３０に覆い被せられる防火シェル２１１が外へ突出して形成されている。防火シェル２１１で第一配線クリップ１３０を覆うことが可能なので、防火シェル２１１を通して電気接続線に火がついた後に炎が隙間から飛び出すのを制限でき、したがって防火フード２００の防火性能を向上できる。
【００３８】
さらに、前記パネルと二つの前記第二側板の中の少なくとも一つの外壁面上には、さらに第二配線クリップ２１２が設置されている。電気接続線は順に第一配線クリップ１３０と第二配線クリップ２１２を通り抜けられる。こうして、配線が整って、電気接続線が占める空間を減少できるだけではなく、電気接続線が絡み合うのを避けて、電気接続線に火がつくリスクを軽減することが可能となる。
【００３９】
第一配線クリップ１３０と第二配線クリップ２１２の構造が基本的に同じなので、これから、第二配線クリップ２１２を例に取って説明する。第二配線クリップ２１２は防火フード２００の外壁面と固定接続されている接続部、接続部と固定接続されている弾性アーム及び接続部の自由端と固定接続されている突出バックル部を含む。第二配線クリップ２１２と防火フード２００の外壁面との間に一定の隙間が形成されて、且つ、第二配線クリップ２１２の弾性アームは一定の弾性を持つので、電気接続線は第二配線クリップ２１２と防火フード２００の外壁面の間に挟み込んで固定できる。こうして、電気接続線の配線が乱れる問題を解決できる。
【００４０】
さらに、図６と図７を参照し、電気回路基板組立体の端子接続座３１０とコイルプレートの端子とを電気的に接続している位置は接触不良による火災を起こしやすい。火が広がる現象を避けるために、本願の一実施例において、前記防火フード２００にはさらに前記端子接続座３１０を覆って閉じるための端子保護蓋２２０が設置されている。具体的に、前記電気回路基板３００の一側には前記電気炊飯器のコイルプレートに接続される端子接続座３１０が設置されて、前記防火フード２００は防火フード本体２１０と端子保護蓋２２０を含み、前記防火フード本体２１０を前記電気回路基板支柱１００に覆い被せた後に、前記端子接続座３１０に対応して取付口が形成されて、前記端子保護蓋２２０は取り外し可能に前記取付口に覆い被せられる。前記端子保護蓋２２０は防火材料により作られており、端子保護蓋２２０が前記取付口に覆い被せられて固定されているので、端子保護蓋２２０で端子接続座３１０を外部と隔離でき、したがって端子接続座３１０に火がついた時に火勢が広がるのを避けられる。それに、端子保護蓋２２０は前記取付口に取り外し可能に固定されているので、コイルプレートの端子と配線接続座の端子との電気的接続の便利性を向上できる。即ち、端子保護蓋２２０を取り外すだけで、ねじを締める方法でコイルプレートの端子と配線接続座の端子との電気的接続を実現できる。
【００４１】
さらに、前記端子保護蓋２２０は蓋板２２１と前記蓋板２２１の周縁から一方へ延びている固定支持脚２２２を含み、前記端子保護蓋２２０は前記固定支持脚２２２を通して前記防火フード本体２１０と取り外し可能に接続されている。しかし、本願の設計はこれに限定されない。ほかの実施例において、前記蓋板２２１の周縁にはさらにバックルを設置してもよい。前記防火フード本体２１０上には対応するように係着穴が設置されている。こうして、前記端子保護蓋２２０はバックルを通して前記係着穴と取り外し可能に接続できる。
【００４２】
これから、図６と図７を組み合わせて、端子保護蓋２２０の構造について詳しく説明する。前記防火フード本体２１０上には前記固定支持脚２２２と適合する係着凸起２１３が設置されて、前記固定支持脚２２２上には前記係着凸起２１３と適合する係着穴が設置されている。具体的に、前記固定支持脚２２２上には係着穴が設けられて、前記係着凸起２１３は案内面と係持面を有する。固定支持脚２２２の底部は、係着凸起２１３が固定支持脚２２２の係着穴内に入るまで、係着凸起２１３に沿って移動でき、これにより、端子保護蓋２２０と電気回路基板組立体との接続を実現する。係接構造の取り付けと取り外しは何れも非常に便利なので、端子保護蓋２２０の取り付けと取り外しの効率を向上できる。
【００４３】
一つの好ましい方法として、図７を参照し、前記防火フード本体２１０上にはさらに弧形位置制限板２１５が設置されている。固定支持脚２２２が弧形位置制限板２１５に沿って防火フード本体２１０に装着された時、固定支持脚２２２の係着穴は防火フード本体上の係着凸起２１３と位置合わせして設置されている。これにより、端子保護蓋２２０の取り付けを便利にできる。
【００４４】
さらに、端子保護蓋２２０と電気回路基板組立体との取り付け後の安定性を向上させるために、前記固定支持脚２２２は間隔を置いて前記蓋板２２１の後側に設置されている二つの第一固定支持脚２２２と間隔を置いて前記蓋板２２１の前側に設置されている二つの第二固定支持脚２２２を含み、且つ、二つの前記第一固定支持脚２２２は二つの前記第二固定支持脚２２２と互い違いに配列されている。第一固定支持脚２２２と第二固定支持脚２２２とは互い違いに配列されているので、第一固定支持脚２２２及び第二固定支持脚２２２と係着凸起２１３との間の結合力はより均一になり、こうして、端子保護蓋２２０と電気回路基板組立体との取り付け後の安定性を向上できる。
【００４５】
電気炊飯器のコイルプレートの端子と電気回路基板３００上の端子接続座３１０との電気的接続を便利にするために、前記防火フード２００上にはコイルプレートの端子が通り抜ける配線溝２１４が設置されている。具体的に、前記防火フード本体２１０上には前記電気炊飯器のコイルプレートの端子が通り抜ける配線溝２１４が設置されて、且つ、前記配線溝２１４は前記係着凸起２１３と互い違いに設置されている。こうして、端子保護蓋２２０の固定支持脚２２２が配線溝２１４を阻むことがなく、且つ、コイルプレートの端子は配線溝２１４を経て端子配線接続座と位置合わせして、さらにはねじ等の導電可能な接続具を通してコイルプレートの端子と電気回路基板３００の端子配線接続座との電気的接続を実現できる。
【００４６】
さらに、防火フード２００の防火性能を向上させるために、配線溝２１４の数はできるだけ少なく、面積はできるだけ小さくする。一つの好ましい方式として、前記配線溝２１４の面積は２５ｍｍ２以下である。こうして、電気接続線が配線溝から正常に引き出されるのを保証できるだけではなく、配線溝２１４の面積が大きすぎるのを避けることが可能で、さらには火勢の広がりを有効に阻止できる。
【００４７】
本願は更に、コイルプレート組立体と電気回路基板組立体を含む電気炊飯器を提案した。前記電気回路基板組立体の具体的な構造については、上記実施例を参照されたい。本実施例における電気炊飯器は上記全ての実施例の全ての技術案を採用したので、少なくとも上記実施例の技術案がもたらす全ての有益効果を有し、ここでは逐一贅言しない。
【００４８】
以上に述べたことは本願の好ましい実施例に過ぎず、それによって本願の特許の範囲を制限するわけではない。本願の発明構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００４９】
１００  電気回路基板支柱
２００  防火フード
３００  電気回路基板
１１０  挿入接続具
１２０  係接具
１３０  第一配線クリップ
２１０  防火フード本体
２２０  端子保護蓋
３１０  端子接続座
２１１  防火シェル
２１２  第二配線クリップ
２１３  係着凸起
２１４  配線溝
２１５  弧形位置制限板
２２１  蓋板
２２２  固定支持脚
【図１】
2021506410.tif 000003
【図２】
2021506410.tif 000004
【図３】
2021506410.tif 000005
【図４】
2021506410.tif 000006
【図５】
2021506410.tif 000007
【図６】
2021506410.tif 000008
【図７】
2021506410.tif 000009
【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
電気炊飯器に応用される電気回路基板組立体であって、
電気回路基板支柱及び防火フードを含み、前記防火フードは前記電気回路基板支柱に覆い被せられて固定されており、且つ、前記防火フードは前記電気回路基板支柱とともに囲んで防火チャンバーを形成している筐体と、
前記電気回路基板支柱上に取り付けられて、且つ、前記防火チャンバー内に位置する電気回路基板を含む
電気回路基板組立体。
【請求項２】
前記電気回路基板支柱は背面板と前記背面板の周りから延びるように設置されている囲い縁部を含み、前記囲い縁部は前記背面板とともに囲んで前記電気回路基板を適合して取り付ける取付溝を形成しており、前記囲い縁部上には、前記防火フードを適合して挿入接続する挿入接続具及び前記防火フードを適合して係接する係接具が設置されており、
前記囲い縁部は前記電気回路基板を支持するための支持板及び前記支持板の両端から前記支持板側へ延びる二つの第一側板を含み、
前記支持板上には前記挿入接続具が設置されており、前記第一側板上には前記係接具が設置されている
請求項１に記載の電気回路基板組立体。
【請求項３】
前記挿入接続具は前記支持板から前記背面板から遠く離れる方向へ延びている挿入接続柱であり、前記防火フードには前記挿入接続柱に対応して挿入穴が設置されており、前記係接具は二つの前記第一側板の互いに背を向けている外壁面上に突出して設置されている突出バックルであり、前記防火フードには前記突出バックルに対応して係着溝が設置されている
請求項２に記載の電気回路基板組立体。
【請求項４】
前記第一側板の外壁面上には第一配線クリップが設置されており、
前記防火フードは前記背面板と対向して設置されているパネル、及び前記パネルの両側に対向して設置されて且つ前記背面板側に向かって延びている二つの第二側板を含み、前記第二側板には前記第一配線クリップに覆い被せられる防火シェルが外へ突出して形成されており、
前記パネルと二つの前記第二側板の中の少なくとも一つの外壁面上には、さらに第二配線クリップが設置されており、
前記第二配線クリップは防火フードの外壁面と固定接続されている接続部、接続部と固定接続されている弾性アーム及び接続部の自由端と固定接続されている突出バックル部を含む
請求項２に記載の電気回路基板組立体。
【請求項５】
前記電気回路基板の一側には端子接続座が設置されて、前記防火フードは防火フード本体と端子保護蓋を含み、前記防火フード本体を前記電気回路基板支柱に覆い被せた後に、前記端子接続座に対応して取付口が形成されて、前記端子保護蓋は取り外し可能に前記取付口に覆い被せられ、
前記端子保護蓋は蓋板と前記蓋板の周縁から一方へ延びているいくつかの固定支持脚を含み、前記端子保護蓋は前記固定支持脚を通して前記防火フード本体と取り外し可能に接続されており、
前記防火フード上には係着凸起が設置され、前記固定支持脚上には前記係着凸起と適合する係着穴が設置されており、
前記防火フード本体上には前記電気炊飯器のコイルプレートの端子が通り抜ける配線溝が設置されて、前記配線溝は前記係着凸起と互い違いに設置されており、
前記配線溝の面積は２５ｍｍ２以下である
請求項１に記載の電気回路基板組立体。
【請求項６】
前記固定支持脚は間隔を置いて前記蓋板の後側に設置されている二つの第一固定支持脚と間隔を置いて前記蓋板の前側に設置されている二つの第二固定支持脚を含み、二つの前記第一固定支持脚は二つの前記第二固定支持脚と互い違いに配列されている
請求項５に記載の電気回路基板組立体。
【請求項７】
前記電気回路基板組立体はさらに放熱ファンを含み、前記電気回路基板組立体の頂部にはさらに、前記防火チャンバーに連通している取付開放口が設置されており、前記放熱ファンは前記取付開放口内に回動的に取り付けられている
請求項１に記載の電気回路基板組立体。
【請求項８】
請求項１に記載の電気回路基板組立体を含む
電気炊飯器。
【国際調査報告】
2021506410.tif 000010
2021506410.tif 000011
2021506410.tif 000012
2021506410.tif 000013
2021506410.tif 000014
2021506410.tif 000015